(57)【要約】ＭＢＭＳに関する情報を伝送する装置及び方法は、移動通信装置が１つのエリアから他のエリアに移動する場合、前記移動通信装置が容易に特定ＭＢＭＳを受信できるようにする。前記移動通信装置が移動する前のエリアの制御装置にＭＢＭＳ状態情報を提供することにより、前記移動通信装置が移動する前のエリアの制御装置は前記移動通信装置にＭＢＭＳを提供するための追加チャネルを設定するか、又は前記移動通信装置の制御の再割当を前記移動通信装置が移動したエリアの制御装置に行うことができる。
2008530894.tif 000002
【特許請求の範囲】
【請求項１】
第１制御装置により制御される第１エリアから第２制御装置により制御される第２エリアに端末が移動する場合において、
前記第２制御装置により提供された１対多サービスに関する状態情報を前記第１制御装置に伝送する段階と、
前記第１制御装置が、少なくとも１つの移動通信端末に前記１対多サービスを伝送するためのチャネルを設定するか、又は前記少なくとも１つの移動通信端末の制御の再割当を前記第２制御装置に行う段階と
を含むことを特徴とする移動通信システムで少なくとも１つの移動通信端末に１対多サービスを提供する方法。
【請求項２】
前記１対多サービスがＭＢＭＳであることを特徴とする請求項１に記載の移動通信システムで少なくとも１つの移動通信端末に１対多サービスを提供する方法。
【請求項３】
前記少なくとも１つの移動通信端末に前記１対多サービスを伝送するために前記第１制御装置により設定されたチャネルが、専用チャネルであることを特徴とする請求項１に記載の移動通信システムで少なくとも１つの移動通信端末に１対多サービスを提供する方法。
【請求項４】
前記第１制御装置がサービング無線ネットワーク制御装置（ＳＲＮＣ）であり、前記第２制御装置がドリフト無線ネットワーク制御装置（ＤＲＮＣ）であることを特徴とする請求項１に記載の移動通信システムで少なくとも１つの移動通信端末に１対多サービスを提供する方法。
【請求項５】
前記第１制御装置が前記１対多サービスをサポートする場合、前記第１制御装置は、前記少なくとも１つの移動通信端末に前記１対多サービスを伝送するためのチャネルを設定することを特徴とする請求項１に記載の移動通信システムで少なくとも１つの移動通信端末に１対多サービスを提供する方法。
【請求項６】
前記第１制御装置が前記１対多サービスをサポートしない場合、前記第１制御装置は、前記少なくとも１つの移動通信端末の制御の再割当を前記第２制御装置に行うことを特徴とする請求項１に記載の移動通信システムで少なくとも１つの移動通信端末に１対多サービスを提供する方法。
【請求項７】
前記移動通信端末が前記状態情報を伝送することを特徴とする請求項１に記載の移動通信システムで少なくとも１つの移動通信端末に１対多サービスを提供する方法。
【請求項８】
前記移動通信端末が前記第２制御装置により専用チャネルで前記１対多サービスが提供されるか否かを判断する段階と、
前記移動通信端末がタイマーを設定する段階と、
前記移動通信端末が、前記第１制御装置により設定されたチャネルで前記１対多サービスを受信すると前記タイマーを解除（ｔｅｒｍｉｎａｔｅ）するか、又は前記タイマーが満了（ｅｘｐｉｒａｔｉｏｎ）すると前記状態情報を伝送する段階と
をさらに含むことを特徴とする請求項７に記載の移動通信システムで少なくとも１つの移動通信端末に１対多サービスを提供する方法。
【請求項９】
前記第２制御装置が前記状態情報を伝送することを特徴とする請求項１に記載の移動通信システムで少なくとも１つの移動通信端末に１対多サービスを提供する方法。
【請求項１０】
前記第２制御装置が、前記第１制御装置だけでなく、前記第２制御装置に隣接した少なくとも１つの第３制御装置に前記状態情報を伝送する段階をさらに含むことを特徴とする請求項９に記載の移動通信システムで少なくとも１つの移動通信端末に１対多サービスを提供する方法。
【請求項１１】
前記状態情報が、ＭＢＭＳ接続メッセージ、チャネルタイプ再構成メッセージ、無線リンク設定メッセージ、無線リンク再構成メッセージ、又はＲＲＣシグナリングメッセージのいずれか１つにより伝送されることを特徴とする請求項９に記載の移動通信システムで少なくとも１つの移動通信端末に１対多サービスを提供する方法。
【請求項１２】
前記状態情報が前記１対多サービスのサービスＩＤを含むことを特徴とする請求項１に記載の移動通信システムで少なくとも１つの移動通信端末に１対多サービスを提供する方法。
【請求項１３】
前記第２制御装置が前記サービスＩＤは専用チャネルで提供される所定のサービスに該当しないと判断する段階と、
前記第２制御装置が前記１対多サービスを提供するために設定された無線ベアラのタイプを含む前記状態情報を伝送する段階と
をさらに含むことを特徴とする請求項１０に記載の移動通信システムで少なくとも１つの移動通信端末に１対多サービスを提供する方法。
【請求項１４】
第１制御装置により制御される第１エリアから第２制御装置により制御される第２エリアに端末が移動する場合において、
前記第２制御装置により提供された１対多サービスに関する状態情報を受信する段階と、
少なくとも１つの移動通信端末に前記１対多サービスを伝送するためのチャネルを設定するか、又は前記少なくとも１つの移動通信端末の制御の再割当を前記第２制御装置に行う段階と
を含むことを特徴とする無線通信システムで少なくとも１つの移動通信端末に１対多サービスを提供する方法。
【請求項１５】
前記１対多サービスがＭＢＭＳであることを特徴とする請求項１４に記載の無線通信システムで少なくとも１つの移動通信端末に１対多サービスを提供する方法。
【請求項１６】
前記少なくとも１つの移動通信端末に前記１対多サービスを伝送するために設定されたチャネルが、専用チャネルであることを特徴とする請求項１４に記載の無線通信システムで少なくとも１つの移動通信端末に１対多サービスを提供する方法。
【請求項１７】
前記第１制御装置がサービング無線ネットワーク制御装置であることを特徴とする請求項１４に記載の無線通信システムで少なくとも１つの移動通信端末に１対多サービスを提供する方法。
【請求項１８】
前記１対多サービスがサポートされる場合、前記１対多サービスを提供するためのチャネルが設定されることを特徴とする請求項１４に記載の無線通信システムで少なくとも１つの移動通信端末に１対多サービスを提供する方法。
【請求項１９】
前記１対多サービスがサポートされない場合、前記少なくとも１つの移動通信端末の制御の再割当が前記第２制御装置に行われることを特徴とする請求項１４に記載の無線通信システムで少なくとも１つの移動通信端末に１対多サービスを提供する方法。
【請求項２０】
前記状態情報を受信する段階は、
ＭＢＭＳ接続メッセージ、チャネルタイプ再構成メッセージ、無線リンク設定メッセージ、無線リンク再構成メッセージ、又はＲＲＣシグナリングメッセージのいずれか１つを受信する段階を含むことを特徴とする請求項１４に記載の無線通信システムで少なくとも１つの移動通信端末に１対多サービスを提供する方法。
【請求項２１】
前記状態情報が前記１対多サービスのサービスＩＤを含むことを特徴とする請求項１４に記載の無線通信システムで少なくとも１つの移動通信端末に１対多サービスを提供する方法。
【請求項２２】
前記状態情報が、前記１対多サービスを提供するために前記第２制御装置により設定された無線ベアラのタイプをさらに含むことを特徴とする請求項２１に記載の無線通信システムで少なくとも１つの移動通信端末に１対多サービスを提供する方法。
【請求項２３】
第１制御装置により制御される第１エリアから第２制御装置により制御される第２エリアに端末が移動する場合において、
提供された１対多サービスに関する状態情報を伝送する段階と、
少なくとも１つの移動通信端末に前記１対多サービスを伝送するために前記第１制御装置からチャネルを受信するか、又は前記少なくとも１つの移動通信端末の制御を担当する段階と
を含むことを特徴とする移動通信システムで少なくとも１つの移動通信端末に１対多サービスを提供する方法。
【請求項２４】
前記１対多サービスがＭＢＭＳであることを特徴とする請求項２３に記載の移動通信システムで少なくとも１つの移動通信端末に１対多サービスを提供する方法。
【請求項２５】
前記少なくとも１つの移動通信端末に前記１対多サービスを伝送するために受信されたチャネルが、専用チャネルであることを特徴とする請求項２３に記載の移動通信システムで少なくとも１つの移動通信端末に１対多サービスを提供する方法。
【請求項２６】
前記第２制御装置がドリフト無線ネットワーク制御装置であることを特徴とする請求項２３に記載の移動通信システムで少なくとも１つの移動通信端末に１対多サービスを提供する方法。
【請求項２７】
前記第１制御装置、及び前記第２制御装置に隣接した少なくとも１つの第３制御装置に前記状態情報を伝送する段階をさらに含むことを特徴とする請求項２３に記載の移動通信システムで少なくとも１つの移動通信端末に１対多サービスを提供する方法。
【請求項２８】
前記状態情報を伝送する段階は、
ＭＢＭＳ接続メッセージ、チャネルタイプ再構成メッセージ、無線リンク設定メッセージ、無線リンク再構成メッセージ、又はＲＲＣシグナリングメッセージのいずれか１つを伝送する段階を含むことを特徴とする請求項２３に記載の移動通信システムで少なくとも１つの移動通信端末に１対多サービスを提供する方法。
【請求項２９】
前記状態情報を伝送する段階は、前記１対多サービスのサービスＩＤを伝送する段階を含むことを特徴とする請求項２３に記載の移動通信システムで少なくとも１つの移動通信端末に１対多サービスを提供する方法。
【請求項３０】
前記状態情報を伝送する段階は、
前記サービスＩＤが専用チャネルで提供される所定のサービスに該当しないと判断する段階と、
前記１対多サービスを提供するために設定された無線ベアラのタイプを含む前記状態情報を伝送する段階と
をさらに含むことを特徴とする請求項２９に記載の移動通信システムで少なくとも１つの移動通信端末に１対多サービスを提供する方法。
【請求項３１】
第１制御装置により制御される第１エリアから第２制御装置により制御される第２エリアに端末が移動する場合において、
前記第２制御装置により提供された１対多サービスに関する状態情報を伝送する段階と、
前記１対多サービスを受信する段階と
を含むことを特徴とする移動通信システムで少なくとも１つの移動通信端末に１対多サービスを提供する方法。
【請求項３２】
前記１対多サービスがＭＢＭＳであることを特徴とする請求項３１に記載の移動通信システムで少なくとも１つの移動通信端末に１対多サービスを提供する方法。
【請求項３３】
前記第２制御装置が専用チャネルで前記１対多サービスを提供するか否かを判断する段階と、
タイマーを設定する段階と、
前記１対多サービスを受信すると前記タイマーを解除するか、又は前記タイマーが満了すると前記状態情報を伝送する段階と
をさらに含むことを特徴とする請求項３１に記載の移動通信システムで少なくとも１つの移動通信端末に１対多サービスを提供する方法。
【請求項３４】
前記状態情報が前記１対多サービスのサービスＩＤを含むことを特徴とする請求項３１に記載の移動通信システムで少なくとも１つの移動通信端末に１対多サービスを提供する方法。
【請求項３５】
ネットワーク制御装置により制御されるエリアから第２制御装置により制御されるエリアに端末が移動する場合において、
少なくとも１つの移動通信端末に１対多サービスを含む信号を送信するために備えられる送信機と、
前記第２制御装置により提供された前記１対多サービスに関する状態情報を含む信号を受信するために備えられる受信機と、
前記状態情報を処理し、前記少なくとも１つの移動通信端末に前記１対多サービスを伝送するためのチャネルを設定するか、又は前記少なくとも１つの移動通信端末の制御の再割当を前記第２制御装置に行うために備えられるプロセッサと
を含むことを特徴とする無線通信システムで少なくとも１つの移動通信端末に１対多サービスを提供するネットワーク制御装置。
【請求項３６】
前記１対多サービスがＭＢＭＳであることを特徴とする請求項３５に記載の無線通信システムで少なくとも１つの移動通信端末に１対多サービスを提供するネットワーク制御装置。
【請求項３７】
前記少なくとも１つの移動通信端末に前記１対多サービスを伝送するために設定されたチャネルが、専用チャネルであることを特徴とする請求項３５に記載の無線通信システムで少なくとも１つの移動通信端末に１対多サービスを提供するネットワーク制御装置。
【請求項３８】
前記ネットワーク制御装置がサービング無線ネットワーク制御装置であることを特徴とする請求項３５に記載の無線通信システムで少なくとも１つの移動通信端末に１対多サービスを提供するネットワーク制御装置。
【請求項３９】
前記プロセッサは、前記１対多サービスがサポートされる場合、前記１対多サービスを提供するためのチャネルを設定するために備えられることを特徴とする請求項３５に記載の無線通信システムで少なくとも１つの移動通信端末に１対多サービスを提供するネットワーク制御装置。
【請求項４０】
前記プロセッサは、前記１対多サービスがサポートされない場合、前記少なくとも１つの移動通信端末の制御の再割当を前記第２制御装置に行うために備えられることを特徴とする請求項３５に記載の無線通信システムで少なくとも１つの移動通信端末に１対多サービスを提供するネットワーク制御装置。
【請求項４１】
前記プロセッサは、前記状態情報を含むＭＢＭＳ接続メッセージ、チャネルタイプ再構成メッセージ、無線リンク設定メッセージ、無線リンク再構成メッセージ、又はＲＲＣシグナリングメッセージのいずれか１つを処理するために備えられることを特徴とする請求項３５に記載の無線通信システムで少なくとも１つの移動通信端末に１対多サービスを提供するネットワーク制御装置。
【請求項４２】
前記状態情報が前記１対多サービスのサービスＩＤを含むことを特徴とする請求項３５に記載の無線通信システムで少なくとも１つの移動通信端末に１対多サービスを提供するネットワーク制御装置。
【請求項４３】
前記状態情報が、前記１対多サービスを提供するために前記第２制御装置により設定された無線ベアラのタイプをさらに含むことを特徴とする請求項４２に記載の無線通信システムで少なくとも１つの移動通信端末に１対多サービスを提供するネットワーク制御装置。
【請求項４４】
前記プロセッサは、
前記少なくとも１つの移動通信端末が前記第２制御装置により制御されるエリアに移動する複数の端末のうち最初の端末の場合、前記状態情報を受信し、前記少なくとも１つの移動通信端末に前記１対多サービスを提供するためのチャネルを設定し、
前記少なくとも１つの移動通信端末が前記第２制御装置により制御されるエリアに移動する複数の端末のうち最初の端末でない場合、前記状態情報を受信せず、前記少なくとも１つの移動通信端末に前記１対多サービスを提供するためのチャネルを設定するために備えられることを特徴とする請求項３５に記載の無線通信システムで少なくとも１つの移動通信端末に１対多サービスを提供するネットワーク制御装置。
【請求項４５】
第２制御装置により制御されるエリアからネットワーク制御装置により制御されるエリアに端末が移動する場合において、
前記第２制御装置に状態情報を含む信号を送信するために備えられる送信機と、
前記第２制御装置から１対多サービスを含む信号を受信するために備えられる受信機と、
前記１対多サービスに関する情報を含む前記状態情報を生成し、前記少なくとも１つの移動通信端末に前記１対多サービスを伝送するために前記第２制御装置からチャネルを受信するか、又は前記少なくとも１つの移動通信端末の制御を担当するために備えられるプロセッサと
を含むことを特徴とする無線通信システムで少なくとも１つの移動通信端末に１対多サービスを提供するネットワーク制御装置。
【請求項４６】
前記１対多サービスがＭＢＭＳであることを特徴とする請求項４５に記載の無線通信システムで少なくとも１つの移動通信端末に１対多サービスを提供するネットワーク制御装置。
【請求項４７】
前記少なくとも１つの移動通信端末に前記１対多サービスを伝送するために受信されたチャネルが、専用チャネルであることを特徴とする請求項４５に記載の無線通信システムで少なくとも１つの移動通信端末に１対多サービスを提供するネットワーク制御装置。
【請求項４８】
前記ネットワーク制御装置がドリフト無線ネットワーク制御装置であることを特徴とする請求項４５に記載の無線通信システムで少なくとも１つの移動通信端末に１対多サービスを提供するネットワーク制御装置。
【請求項４９】
前記プロセッサは、前記第２制御装置、及び前記ネットワーク制御装置に隣接した少なくとも１つの第３制御装置に前記状態情報を伝送するために備えられることを特徴とする請求項４５に記載の無線通信システムで少なくとも１つの移動通信端末に１対多サービスを提供するネットワーク制御装置。
【請求項５０】
前記プロセッサは、前記状態情報を含むＭＢＭＳ接続メッセージ、チャネルタイプ再構成メッセージ、無線リンク設定メッセージ、無線リンク再構成メッセージ、又はＲＲＣシグナリングメッセージのいずれか１つを生成するために備えられることを特徴とする請求項４５に記載の無線通信システムで少なくとも１つの移動通信端末に１対多サービスを提供するネットワーク制御装置。
【請求項５１】
前記プロセッサは、前記１対多サービスのサービスＩＤを含む前記状態情報を生成するために備えられることを特徴とする請求項４５に記載の無線通信システムで少なくとも１つの移動通信端末に１対多サービスを提供するネットワーク制御装置。
【請求項５２】
前記プロセッサは、前記サービスＩＤが専用チャネルで提供される所定のサービスに該当しないと判断し、前記１対多サービスを提供するために設定された無線ベアラのタイプを含む前記状態情報を生成するために備えられることを特徴とする請求項５１に記載の無線通信システムで少なくとも１つの移動通信端末に１対多サービスを提供するネットワーク制御装置。
【請求項５３】
前記プロセッサは、
前記少なくとも１つの移動通信端末が前記第２制御装置により制御されるエリアから移動した複数の端末のうち最初の端末の場合、前記状態情報を伝送し、
前記少なくとも１つの移動通信端末が前記第２制御装置により制御されるエリアから移動した複数の端末のうち最初の端末でない場合、前記状態情報を伝送しないために備えられることを特徴とする請求項４５に記載の無線通信システムで少なくとも１つの移動通信端末に１対多サービスを提供するネットワーク制御装置。
【請求項５４】
第１制御装置により制御される第１エリアから第２制御装置により制御される第２エリアに端末が移動する場合において、
１対多サービスを含むＲＦ信号を受信し、状態情報を含むＲＦ信号を送信するために備えられるアンテナと、
前記アンテナにより受信したＲＦ信号を処理するために備えられるＲＦモジュールと、
ユーザから情報を入力されるために備えられるキーパッドと、
前記１対多サービスに関する情報を保存するために備えられる保存部と、
前記ユーザに情報を伝達するために備えられるディスプレイと、
前記１対多サービスに関する情報を含む前記状態情報を生成して前記１対多サービスを受信するために備えられる処理部と
を含むことを特徴とする移動通信システムで１対多サービスを受信する移動通信端末。
【請求項５５】
前記１対多サービスがＭＢＭＳであることを特徴とする請求項５４に記載の移動通信システムで１対多サービスを受信する移動通信端末。
【請求項５６】
前記処理部は、前記第２制御装置が専用チャネルで前記１対多サービスを提供するか否かを判断し、タイマーを設定し、前記１対多サービスを受信すると前記タイマーを解除するか、又は前記タイマーが満了すると前記状態情報を伝送するために備えられることを特徴とする請求項５４に記載の移動通信システムで１対多サービスを受信する移動通信端末。
【請求項５７】
前記処理部は、
前記移動通信端末が前記第１エリアから前記第２エリアに移動した複数の端末のうち最初の端末の場合、前記状態情報を伝送し、
前記移動通信端末が前記第１エリアから前記第２エリアに移動した複数の端末のうち最初の端末でない場合、前記状態情報を伝送しないために備えられることを特徴とする請求項５４に記載の移動通信システムで１対多サービスを受信する移動通信端末。
【発明の詳細な説明】
【技術分野】
【０００１】
本発明はＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）に関し、特に、端末の移動性のサポート及びＭＢＭＳの提供に関する情報を伝送する装置及び方法に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、欧州標準であるＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）として知られている規格から進化した第３世代移動通信システムであって、ＧＳＭコアネットワークとＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）技術を基盤としてより向上した移動通信サービスの提供を目標とする。図１は従来技術及び本発明が適用されたＵＭＴＳシステムのネットワーク構造を示す図である。
【０００３】
図１に示すように、前記ＵＭＴＳシステムは、端末又はユーザ装置（ＵＥ）、ＵＴＲＡＮ２、及びコアネットワーク（ＣＮ）３からなる。前記ＵＴＲＡＮ２は、１つ以上の無線ネットワークサブシステム（Ｒａｄｉｏ  Ｎｅｔｗｏｒｋ  Ｓｕｂｓｙｓｔｅｍｓ；ＲＮＳ）４から構成される。各ＲＮＳ４は、１つの無線ネットワーク制御装置（Ｒａｄｉｏ  Ｎｅｔｗｏｒｋ  Ｃｏｎｔｒｏｌｌｅｒ；ＲＮＣ）５、並びに前記ＲＮＣが管理する１つ以上のＮｏｄｅ  Ｂ６から構成される。前記ＲＮＣ５は、アップリンクで端末の物理層から伝送された情報を受信し、ダウンリンクで前記端末１にデータを伝送することにより、端末とＵＴＲＡＮ２とを接続するアクセスポイントの役割を果たすＮｏｄｅ  Ｂ６を管理する。前記ＲＮＣ５は、無線リソースの割当及び管理を担当し、前記ＣＮ３のアクセスポイントの役割を果たす。
【０００４】
図２はＵＭＴＳネットワーク内でのＵＴＲＡＮ２と端末１間の接続構造を示す図である。図２に示すように、前記端末１はＵＭＴＳから提供されるサービス及び端末の情報を受信するためにＣＮ３に接続され、前記ＣＮはＵＴＲＡＮ２を介して伝送される。
【０００５】
前記ＣＮ３は、データ及び制御メッセージを送受信するために、Ｉｕインタフェースを介してＲＮＣ５に接続される。ＵＭＴＳネットワークに接続された各端末１はＵＴＲＡＮ２内の特定ＲＮＣ５により管理される。サービングＲＮＣ（Ｓｅｒｖｉｎｇ  ＲＮＣ；ＳＲＮＣ）５は端末を管理するＲＮＣである。すなわち、前記ＳＲＮＣ５とは、特定端末１にデータを伝送するためにＣＮ３とのアクセスポイントの役割を果たすＲＮＣを意味する。
【０００６】
前記ＳＲＮＣ５は、無線インタフェースを介して受信されるか、又は端末に伝送されるデータに対するＯＳＩ（Ｏｐｅｎ  Ｓｙｓｔｅｍ  Ｉｎｔｅｒｆａｃｅ）の第２層としての役割を果たし、サービスの提供に必要な無線リソースを割り当てる。ＳＲＮＣ５が実行する無線リソース管理機能は、トランスポートチャネル設定、ハンドオーバー判断、ＯＬＰＣ（Ｏｐｅｎ  Ｌｏｏｐ  Ｐｏｗｅｒ  Ｃｏｎｔｒｏｌ）実行など、前記特定端末１に関する制御機能を含む。特定時点でＵＴＲＡＮ２を介してＣＮ３に接続した端末１は１つのＳＲＮＣ５のみを有する。
【０００７】
一般的に、端末１とＣＮ３間では１つのＲＮＣ５が使用される。しかし、端末１が他のＲＮＣ５により管理される新しいエリアに移動した場合、前記端末は前記以前のエリアのＲＮＣを介して前記新しいエリアのＲＮＣに接続される。
【０００８】
例えば、初期にＲ１（ＲＮＣ１）を介してＣＮ３に接続された端末が、Ｒ２（ＲＮＣ２）により管理されるエリア又はセルに移動すると仮定する。前記端末１は、Ｒ２により管理されるエリアに移動した後、Ｒ２を介してＩｕｒインタフェースでＲ１に接続される。Ｒ１は前記端末の管理及び前記ＣＮ３とのアクセスポイントの役割を果たし、Ｒ２はユーザデータのルーティング、又はコード、特に共通リソースの割当の機能を部分的に実行する。ＵＭＴＳネットワークにおいて、ＳＲＮＣを除いて、Ｒ２のように端末１に接続された全てのＲＮＣ５をドリフトＲＮＣ（Ｄｒｉｆｔ  ＲＮＣ；ＤＲＮＣ）という。従って、１つの端末１はその接続状態に応じて、ＤＲＮＣ５を有しないこともあり、１つ又は複数のＤＲＮＣを有することもある。
【０００９】
前記ＳＲＮＣ５と前記ＤＲＮＣは特定端末１に関連して論理的に区分される。しかし、ＵＴＲＡＮ２内のＲＮＣ５とＮｏｄｅ  Ｂ６が従属関係を有するため、ＲＮＣはＮｏｄｅ  Ｂ側でも区分できる。Ｎｏｄｅ  Ｂ６を管理するＲＮＣ５と他のＲＮＣを区別するために、特定Ｎｏｄｅ  Ｂを管理するＲＮＣをＣＲＮＣ（Ｃｏｎｔｒｏｌｌｉｎｇ  ＲＮＣ）という。特に、Ｉｕｂを介して特定Ｎｏｄｅ  Ｂ６に接続されて前記Ｎｏｄｅ  Ｂの無線リソースを制御するＲＣＮ５が前記特定Ｎｏｄｅ  ＢのＣＲＮＣに該当し、前記ＵＴＲＡＮ２の構造において前記ＣＲＮＣと前記Ｎｏｄｅ  Ｂ間には１対多の関係が成立する。前記ＣＲＮＣ５は、ＣＲＮＣ自身が管理するセル内でトラフィックのロード制御及び輻輳制御、前記セル内に設定された新しい無線リンクに対する許可制御、並びにコード割当などの機能を実行する。
【００１０】
ＲＮＣ５と端末１に位置する無線プロトコルの第３層には無線リソース制御（Ｒａｄｉｏ  Ｒｅｓｏｕｒｃｅ  Ｃｏｎｔｒｏｌ；ＲＲＣ）層が定義される。前記ＲＲＣ層は、無線ベアラ（ＲＢ）の設定、再設定、及び解除に関するトランスポートチャネル及び物理チャネルの制御を担当する。無線ベアラとは、端末１とＲＮＣ５間のデータ伝送のために無線プロトコルの第２層が提供するサービスを意味する。一般に、無線ベアラの設定とは、特定サービスを提供するために必要なプロトコル層及びチャネルの特性を規定し、それぞれの詳細なパラメータ及びその動作方法を設定する過程を意味する。
【００１１】
前記ＲＲＣ状態は、端末１のＲＲＣがＵＴＲＡＮ２のＲＲＣに論理的に接続されて前記ＵＴＲＡＮのＲＲＣと論理的接続を形成するか否かを示す。前記端末１のＲＲＣが前記ＵＴＲＡＮ２のＲＲＣと論理的接続を形成する場合をＲＲＣ接続状態という。逆に、前記端末１のＲＲＣと前記ＵＴＲＡＮ２のＲＲＣ間に論理的接続が存在しない場合をＲＲＣアイドル状態という。
【００１２】
従って、前記端末１がＲＲＣ接続状態にあり、これにより前記ＵＴＲＡＮ２が該当端末の存在をセル単位で認知できる場合、前記ＵＴＲＡＮは前記端末を効果的に制御できる。それに対し、前記ＵＴＲＡＮ２はアイドル状態にある端末１は認知できない。アイドル状態にある端末１は、ＣＮ３によりセルより大きいエリアであるロケーションエリア単位又はルーティングエリア単位で管理される。特に、アイドル状態にある端末１の存在は、ロケーションエリア又はルーティングエリアなどのように広域の単位で認知され、前記端末は音声やデータなどの通常の移動通信サービスを受信するためには接続状態に遷移しなければならない。
【００１３】
図３は端末１のＲＲＣ状態遷移を示す図である。図３に示すように、ユーザが端末１の電源をオンにすると、前記端末はまず適したセルを検出して該当セルでアイドル状態を維持する。アイドル状態にある端末１は、ＲＲＣ接続を形成する必要があるとき、ＲＲＣ接続手順によりＵＴＲＡＮ２のＲＲＣとのＲＲＣ接続を形成し、ＲＲＣ接続状態に遷移する。
【００１４】
アイドル状態にある端末１がＲＲＣ接続の形成を必要とする場合は様々である。例えば、ユーザによる呼の試みによりアップリンクデータの伝送が必要な場合、又はＵＴＲＡＮ２から受信したページングメッセージに対する応答メッセージの伝送が必要な場合を挙げることができる。
【００１５】
ＭＢＭＳとは、ダウンリンク専用のＭＢＭＳベアラサービスを利用して複数の端末１にストリーミングサービス又はバックグラウンドサービスを提供するサービスを意味する。ＵＴＲＡＮ２においてＭＢＭＳベアラは、１対多無線ベアラ及び１対１無線ベアラを使用する。
【００１６】
前記ＭＢＭＳは、ブロードキャストモードとマルチキャストモードに分けられる。前記ＭＢＭＳブロードキャストモードは、ブロードキャストエリア内の全てのユーザにマルチメディアデータを伝送するサービスである。前記ブロードキャストエリアとは、ブロードキャストサービスが可能なエリアをいう。それに対し、前記ＭＢＭＳマルチキャストモードは、マルチキャストエリア内の特定のユーザグループにのみマルチメディアデータを伝送するサービスである。前記マルチキャストエリアとは、マルチキャストサービスが可能なエリアをいう。前記マルチキャストエリア及び前記ブロードキャストエリアはサービスエリアと呼ばれる。
【００１７】
図４は従来のＵＭＴＳネットワークがマルチキャストモードを利用して端末（ＵＥ）１に特定ＭＢＭＳ（サービス１）を提供する手順を示す図である。ＭＢＭＳを受信しようとするＵＥ１は、加入と呼ばれる過程により前記サービスに加入する。加入とはサービスプロバイダとユーザ間に関係を設定することを意味する。
【００１８】
ＭＢＭＳを受信しようとする端末１は、ネットワーク３により提供されるサービス案内（ｓｅｒｖｉｃｅ  ａｎｎｏｕｎｃｅｍｅｎｔ）を受信しなければならない。ここで、サービス案内とは、提供されるサービスのインデックス及び関連情報を前記端末１に提供することをいう。特に、マルチキャストモードのＭＢＭＳを受信しようとする端末１はマルチキャストグループに参加しなければならない。ここで、マルチキャストグループとは、特定マルチキャストサービスを受信する端末１のグループをいい、参加とは、１人のユーザが特定マルチキャストサービスを受信するためにマルチキャストグループに属する他のユーザに合流することをいう。
【００１９】
前記端末１は、ＭＢＭＳマルチキャストへの参加により、端末自身が特定マルチキャストデータの受信を希望することをＵＭＴＳネットワークに通知することができる。一方、特定マルチキャストグループに参加している端末１が該当マルチキャストグループの一部に属しなくなる手順を脱退という。各端末１は加入、参加、及び脱退の過程を行う。前記端末１はデータの伝送前、伝送中、又は伝送後のいつでも前記加入、参加、及び脱退の過程を行うことができる。
【００２０】
特定ＭＢＭＳ中に、該当サービスに対する少なくとも１つのセッションが順次発生し得る。ＭＢＭＳソースに特定ＭＢＭＳのために伝送すべきデータが発生した場合、前記ＣＮ３は前記ＲＮＣ５にセッション開始を通知する。それに対し、前記ＭＢＭＳソースに特定ＭＢＭＳのために伝送すべきデータがない場合、前記ＣＮ３は前記ＲＮＣ５にセッション終了を通知する。前記特定ＭＢＭＳに関するデータの伝送は、前記セッション開始と前記セッション終了間に実行される。前記データ伝送過程により伝送されたデータは、特定ＭＢＭＳのためのマルチキャストグループに参加している端末１にのみ伝送される。
【００２１】
前記セッション開始過程で、前記ＣＮ３からセッション開始を受信したＲＮＣ５は、前記端末にＭＢＭＳ通知を伝達する。前記ＭＢＭＳ通知とは、セル内に特定ＭＢＭＳのデータ伝送が近づいているか、又は迫っていることをＲＮＣ５が端末１に通知することを意味する。前記ＭＢＭＳ通知は、サービスの実際のデータが伝送される前に一回以上伝送される。また、ＲＮＣ５は前記ＭＢＭＳ通知過程により、１つの特定セル内で前記特定ＭＢＭＳを受信する端末の数をカウントできる。前記カウント手順は、特定ＭＢＭＳを伝送するＲＢを１対多ＲＢもしくは１対１ＲＢに設定するか、又はＲＢを設定しないかを決定するのに使用される。
【００２２】
適したＭＢＭＳ  ＲＢを選択するために、前記ＲＮＣ５は内部的に閾値を設定する。前記ＲＮＣ５は、端末１の数をカウントした後、該当セル内に存在する端末のカウント数が前記閾値より少ないと、１対１ＲＢを設定する。それに対し、前記端末のカウント数が前記閾値より大きいと、１対多ＲＢを設定する。ＭＢＭＳ  ＲＢを決定した後、前記ＲＮＣ５は該当ＲＢの設定情報を前記端末１に通知する。
【００２３】
特定サービスに対して１対１ＲＢが設定された場合、前記サービスを受信しようとする全ての端末１がＲＲＣ接続状態にある。しかし、特定サービスに対して１対多ＲＢが設定された場合は、前記サービスを受信しようとする全ての端末１がＲＲＣ接続状態にある必要はない。すなわち、アイドル状態にある端末１も１対多ＲＢを利用して前記ＭＢＭＳデータを受信することができる。ＭＢＭＳの１セッションで前記ＣＮ３からＭＢＭＳデータが伝送されると、前記ＲＮＣ５は前記設定されたＲＢを利用してデータ伝送を開始し、前記ＣＮがセッション終了メッセージを伝送すると、前記既に設定されたＲＢを解除する。
【００２４】
しかし、特定ＭＢＭＳを受信しようとする端末１がない場合、前記ＲＮＣ５はいずれのＲＢも設定せず、ＭＢＭＳデータも伝送しない。サービスを受信しようとするユーザがいないにもかかわらずＲＮＣ５がＲＢを設定すると、無線リソースの好ましくない消費を引き起こす。
【００２５】
ＭＢＭＳエリアとは、特定端末１が加入しているＭＢＭＳをサポートするセルから構成されたエリアを意味する。前記ＭＢＭＳエリアは、１つ以上のセルの集合から構成され、１つのＲＮＣ５により管理されるセルから構成されるか、又は複数のＲＮＣにより管理されるエリアにわたって位置する。隣接セル情報リストは、ＲＮＣに隣接して位置するＤＲＮＣ５により管理されるセルの情報を含むリストを示す。
【００２６】
図５はＭＢＭＳ接続（ａｔｔａｃｈ）手順を示す図である。図５に示すように、ＭＢＭＳを提供するＲＮＣ５は、ＲＮＣ自身が管理する全てのセルに対して、特定ＭＢＭＳに加入している端末のうちＲＲＣ接続状態にある端末１を認知して管理する。前記ＲＮＣ５は、各セルのそれぞれのＭＢＭＳに対して、ＲＲＣ接続端末リストなどのように、ＲＲＣ接続状態にある端末１のリストを作成する。前記ＲＲＣ接続端末リストは、特定ＭＢＭＳに加入している端末１の識別子（ＵＲＮＴＩなど）を含む。
【００２７】
ＭＢＭＳ接続手順の一部として、端末１がＳＲＮＣ５により管理されるセルからＤＲＮＣにより管理されるセルに移動した場合、前記ＳＲＮＣは、実行中のサービスと実行中でないサービスの全てに対して、ＲＲＣ接続状態にある端末が加入しているＭＢＭＳに関してＣＮ３からセッション開始メッセージを受信する。その後、前記ＳＲＮＣ５がＭＢＭＳ接続（又は、添付）要求メッセージにより端末情報をＤＲＮＣに伝送し、前記ＤＲＮＣはＤＲＮＣ自身が管理するＲＲＣ接続端末リストにＭＢＭＳ接続を要求する端末１を追加する。前記ＭＢＭＳ接続要求メッセージは、前記端末１が移動したセルのＩＤ、前記端末が参加しているＭＢＭＳのＩＤ、及び前記端末のＵＲＮＴＩを含む。
【００２８】
一旦前記ＳＲＮＣ５から特定端末１に対するＭＢＭＳ接続（又は、添付）要求メッセージが受信され、該当端末に対してＲＲＣ接続状態を維持するためのリソース割当が可能である場合、前記ＤＲＮＣ５は前記端末１のＭＢＭＳ接続要求を承認する。その後、前記ＤＲＮＣ５は、前記移動した端末が参加しているそれぞれのＭＢＭＳに対するＲＲＣ接続端末リストに前記端末１のＵＲＮＴＩを追加する。
【００２９】
次に、前記ＤＲＮＣ５は、ＭＢＭＳ接続応答メッセージにより、前記ＳＲＮＣに肯定的な応答（ｐｏｓｉｔｉｖｅ  ｒｅｓｐｏｎｓｅ）を伝送する。前記メッセージを受信したＳＲＮＣ５は、新しいセルでも前記端末１をＲＲＣ接続状態に維持する。また、前記ＳＲＮＣ５は、１対１ＲＢを利用してＭＢＭＳデータを前記端末１に伝送する。特に、前記ＭＢＭＳデータは、前記ＳＲＮＣを介して前記ＤＲＮＣ５に伝送された後、前記ＤＲＮＣから１対１ＲＢを利用して前記端末１に伝送される。
【００３０】
前記ＤＲＮＣ５は、前記ＳＲＮＣから特定端末１に対するＭＢＭＳ接続要求メッセージを受信したとき、そのＭＢＭＳ接続要求を常に承認するわけではない。前記ＤＲＮＣ５が前記端末１に対してＲＲＣ接続を形成しても、そのＲＲＣ接続状態で前記端末を維持するためのリソースがない場合、前記ＤＲＮＣは、前記端末のＭＢＭＳ接続要求を拒否し、前記ＳＲＮＣに否定的な応答（ｎｅｇａｔｉｖｅ  ｒｅｓｐｏｎｓｅ）を伝送する。
【００３１】
しかし、従来は、各ＭＢＭＳエリア外に位置する端末１がＤＲＮＣ５に接続された場合に問題が発生し得る。前記端末１が端末自身が加入しているＭＢＭＳを提供するＤＲＮＣ５により管理されるＭＢＭＳエリアに移動した場合、前記移動した端末は、前記ＤＲＮＣから通知を受信することにより該当サービスの情報を取得するか、又はＭＢＭＳ制御チャネル（ＭＢＭＳ  Ｃｏｎｔｒｏｌ  Ｃｈａｎｅｌ；ＭＣＣＨ）でＭＢＭＳの情報を受信する。
【００３２】
ここで、前記ＭＢＭＳは１対１ＲＢ又は１対多ＲＢを利用して伝送できる。前記ＤＲＮＣ５が１対１ＲＢを利用してＭＢＭＳを提供する場合、前記端末１は専用チャネルを設定することにより、前記ＤＲＮＣを介して前記ＳＲＮＣからＭＢＭＳを受信する代わりに、直接前記ＳＲＮＣからＭＢＭＳを受信しなければならない。しかし、前記ＳＲＮＣ５は、前記ＤＲＮＣが前記端末１が加入しているＭＢＭＳを提供しているか否か、又はＭＢＭＳが１対１ＲＢを利用して提供されているか否かを正確に認知することができない。
【００３３】
従って、前記ＳＲＮＣ５は前記端末１に１対１ＲＢを利用してＭＢＭＳを受信させる専用チャネルを設定できず、その結果、前記端末はＭＢＭＳを受信できない。特に、端末１が前記ＳＲＮＣ５により管理されるエリアから前記ＤＲＮＣにより管理されるエリアに移動してＤＲＮＣに接続された場合、前記端末が加入しているＭＢＭＳが前記ＤＲＮＣを介して１対１ＲＢを利用して伝送されるとしても、前記ＳＲＮＣは、前記ＤＲＮＣでのＭＢＭＳの状態を正確に認知できず、前記端末との専用チャネルを設定できない。その結果、前記端末１はＭＢＭＳを受信できない。  
【００３４】
従って、端末の移動性のサポート及びＭＢＭＳの提供に関する情報を伝送する装置及び方法が必要である。本発明はこのような必要性を扱うものである。
【発明の開示】
【発明が解決しようとする課題】
【００３５】
本発明の付加的な特性と利点は後述する発明の詳細な説明に記載され、部分的には上記の説明により明らかになるか、本発明の実施により理解されるであろう。本発明の目的と他の利点は、特に、発明の詳細な説明及び添付図面だけでなく、特許請求の範囲に開示された構成により実現される。
【００３６】
本発明の目的は、端末の移動性のサポート及びＭＢＭＳの提供に関する情報を伝送する装置及び方法を提供することにある。端末が移動したエリアを制御する無線ネットワーク制御装置から、前記端末が移動する前のエリアを制御する無線ネットワーク制御装置に、ＭＢＭＳに関する状態情報を伝送することにより、前記端末が移動する前のエリアを制御する無線ネットワーク制御装置は、前記端末にＭＢＭＳを提供する１対１チャネルを設定するか、又は前記端末が移動したエリアを制御する無線ネットワーク制御装置に前記端末の制御の再割当（ｒｅｌｏｃａｔｉｏｎ）を行う。これにより、端末は１つのエリアから他のエリアへの移動時にＭＢＭＳを受信することができる。
【課題を解決するための手段】
【００３７】
本発明の一態様において、第１制御装置により制御される第１エリアから第２制御装置により制御される第２エリアに端末が移動する場合、無線通信システムで少なくとも１つの移動通信端末に１対多サービスを提供する方法が提供される。前記方法は、前記第２制御装置により提供された１対多サービスに関する状態情報を前記第１制御装置に伝送する段階と、前記第１制御装置が、少なくとも１つの移動通信端末に前記１対多サービスを伝送するためのチャネルを設定するか、又は前記少なくとも１つの移動通信端末の制御の再割当を前記第２制御装置に行う段階とを含む。
【００３８】
前記１対多サービスはＭＢＭＳである。前記少なくとも１つの移動通信端末に前記１対多サービスを伝送するために前記第１制御装置により設定されたチャネルは、専用チャネルであることが好ましい。
【００３９】
前記第１制御装置はサービング無線ネットワーク制御装置（ＳＲＮＣ）であり、前記第２制御装置はドリフト無線ネットワーク制御装置（ＤＲＮＣ）である。さらに、前記第１制御装置が前記１対多サービスをサポートする場合、前記第１制御装置は、前記少なくとも１つの移動通信端末に前記１対多サービスを伝送するためのチャネルを設定し、前記第１制御装置が前記１対多サービスをサポートしない場合、前記第１制御装置は、前記少なくとも１つの移動通信端末の制御の再割当を前記第２制御装置に行う。
【００４０】
前記移動通信端末は前記状態情報を伝送する。前記方法は、前記移動通信端末が前記第２制御装置により専用チャネルで前記１対多サービスが提供されるか否かを判断する段階と、前記移動通信端末がタイマーを設定する段階と、前記移動通信端末が、前記第１制御装置により設定されたチャネルで前記１対多サービスを受信すると前記タイマーを解除（ｔｅｒｍｉｎａｔｅ）するか、又は前記タイマーが満了（ｅｘｐｉｒａｔｉｏｎ）すると前記状態情報を伝送する段階とをさらに含むことが好ましい。前記第２制御装置は前記状態情報を伝送することが好ましい。
【００４１】
前記第２制御装置が、前記第１制御装置だけでなく、前記第２制御装置に隣接した少なくとも１つの第３制御装置に前記状態情報を伝送する段階をさらに含む。前記状態情報は、ＭＢＭＳ接続メッセージ、チャネルタイプ再構成メッセージ、無線リンク設定メッセージ、無線リンク再構成メッセージ、又はＲＲＣシグナリングメッセージにより伝送されることが好ましい。
【００４２】
前記状態情報は前記１対多サービスのサービスＩＤを含む。前記方法は、前記第２制御装置が前記サービスＩＤは専用チャネルで提供される所定のサービスに該当しないと判断する段階と、前記第２制御装置が前記１対多サービスを提供するために設定された無線ベアラのタイプを含む前記状態情報を伝送する段階とをさらに含むことが好ましい。
【００４３】
本発明の他の態様において、第１制御装置により制御される第１エリアから第２制御装置により制御される第２エリアに端末が移動する場合、無線通信システムで少なくとも１つの移動通信端末に１対多サービスを提供する方法が提供される。前記方法は、前記第２制御装置により提供された１対多サービスに関する状態情報を受信する段階と、少なくとも１つの移動通信端末に前記１対多サービスを伝送するためのチャネルを設定するか、又は前記少なくとも１つの移動通信端末の制御の再割当を前記第２制御装置に行う段階とを含む。
【００４４】
前記１対多サービスはＭＢＭＳである。前記少なくとも１つの移動通信端末に前記１対多サービスを伝送するために設定されたチャネルは、専用チャネルであることが好ましい。
【００４５】
前記第１制御装置はサービング無線ネットワーク制御装置である。前記１対多サービスがサポートされる場合、前記１対多サービスを提供するためのチャネルが設定され、前記１対多サービスがサポートされない場合、前記少なくとも１つの移動通信端末の制御の再割当が前記第２制御装置に行われることが好ましい。
【００４６】
前記状態情報を受信する段階は、ＭＢＭＳ接続メッセージ、チャネルタイプ再構成メッセージ、無線リンク設定メッセージ、無線リンク再構成メッセージ、又はＲＲＣシグナリングメッセージを受信する段階を含む。前記状態情報は前記１対多サービスのサービスＩＤを含む。前記状態情報は、前記１対多サービスを提供するために前記第２制御装置により設定された無線ベアラのタイプをさらに含むことが好ましい。
【００４７】
本発明のさらに他の態様において、第１制御装置により制御される第１エリアから第２制御装置により制御される第２エリアに端末が移動する場合、移動通信システムで少なくとも１つの移動通信端末に１対多サービスを提供する方法が提供される。前記方法は、提供された１対多サービスに関する状態情報を伝送する段階と、少なくとも１つの移動通信端末に前記１対多サービスを伝送するために前記第１制御装置からチャネルを受信するか、又は前記少なくとも１つの移動通信端末の制御を担当する段階とを含む。
【００４８】
前記１対多サービスはＭＢＭＳである。前記少なくとも１つの移動通信端末に前記１対多サービスを伝送するために受信されたチャネルは、専用チャネルであることが好ましい。
【００４９】
前記第２制御装置は、ドリフト無線ネットワーク制御装置である。前記方法は、前記第１制御装置、及び前記第２制御装置に隣接した少なくとも１つの第３制御装置に前記状態情報を伝送する段階をさらに含むことが好ましい。
【００５０】
前記状態情報を伝送する段階は、ＭＢＭＳ接続メッセージ、チャネルタイプ再構成メッセージ、無線リンク設定メッセージ、無線リンク再構成メッセージ、又はＲＲＣシグナリングメッセージを伝送する段階を含む。さらに、前記状態情報を伝送する段階は、前記１対多サービスのサービスＩＤを伝送する段階を含む。前記状態情報を伝送する段階は、前記サービスＩＤが専用チャネルで提供される所定のサービスに該当しないと判断する段階と、前記１対多サービスを提供するために設定された無線ベアラのタイプを含む前記状態情報を伝送する段階とをさらに含むことが好ましい。
【００５１】
本発明のさらに他の態様において、第１制御装置により制御される第１エリアから第２制御装置により制御される第２エリアに端末が移動する場合、移動通信システムで少なくとも１つの移動通信端末に１対多サービスを提供する方法が提供される。前記方法は、前記第２制御装置により提供された１対多サービスに関する状態情報を伝送する段階と、前記１対多サービスを受信する段階とを含む。
【００５２】
前記１対多サービスはＭＢＭＳである。前記方法は、前記第２制御装置が専用チャネルで前記１対多サービスを提供するか否かを判断する段階と、タイマーを設定する段階と、前記１対多サービスを受信すると前記タイマーを解除するか、又は前記タイマーが満了すると前記状態情報を伝送する段階とをさらに含むことが好ましい。
【００５３】
本発明のさらに他の態様において、第１制御装置により制御される第１エリアから第２制御装置により制御される第２エリアに複数の端末のうち少なくとも第１及び第２端末が移動する場合、移動通信システムで複数の移動通信端末に１対多サービスを提供する方法が提供される。前記方法は、前記複数の端末のうち前記第１端末が前記第１エリアから前記第２エリアに移動する場合、前記第２制御装置により提供された１対多サービスに関する状態情報を前記第１制御装置に伝送し、前記第１制御装置が、前記複数の移動通信端末のうち前記第１端末に前記１対多サービスを伝送するために第１チャネルを設定する段階と、前記複数の端末のうち前記第２端末が前記第１エリアから前記第２エリアに移動する場合、前記状態情報を受信せず、前記複数の移動通信端末のうち前記第２端末に前記１対多サービスを伝送するために第２チャネルを設定する段階とを含む。
【００５４】
前記１対多サービスはＭＢＭＳである。前記第１制御装置はサービング無線ネットワーク制御装置であり、前記第２制御装置はドリフト無線ネットワーク制御装置であることが好ましい。
【００５５】
前記移動通信端末は前記状態情報を伝送する。前記方法は、前記移動通信端末が前記第２制御装置により専用チャネルで前記１対多サービスが提供されるか否かを判断する段階と、前記移動通信端末がタイマーを設定する段階と、前記移動通信端末が前記第１制御装置により設定された専用チャネルで前記１対多サービスを受信すると前記タイマーを解除するか、又は前記タイマーが満了すると前記状態情報を伝送する段階とをさらに含む。前記第２制御装置は前記状態情報を伝送することが好ましい。
【００５６】
前記方法は、前記第２制御装置が、前記第１制御装置だけでなく、前記第２制御装置に隣接した少なくとも１つの第３制御装置に前記状態情報を伝送する段階をさらに含む。前記状態情報は、ＭＢＭＳ接続メッセージ、チャネルタイプ再構成メッセージ、無線リンク設定メッセージ、無線リンク再構成メッセージ、又はＲＲＣシグナリングメッセージにより伝送されることが好ましい。
【００５７】
前記状態情報は前記１対多サービスのサービスＩＤを含む。前記方法は、前記第２制御装置が前記サービスＩＤは専用チャネルで提供される所定のサービスに該当しないと判断する段階と、前記第２制御装置が前記１対多サービスを提供するために設定された無線ベアラのタイプを含む前記状態情報を伝送する段階とをさらに含む。
【００５８】
本発明のさらに他の態様において、第１制御装置により制御される第１エリアから第２制御装置により制御される第２エリアに複数の端末のうち少なくとも第１及び第２端末が移動する場合、移動通信システムで複数の移動通信端末に１対多サービスを提供する方法が提供される。前記方法は、前記複数の端末のうち前記第１端末が前記第１エリアから前記第２エリアに移動する場合、前記第２制御装置により提供された１対多サービスに関する状態情報を受信し、前記複数の移動通信端末のうち前記第１端末に前記１対多サービスを提供するためのチャネルを設定する段階と、前記複数の端末のうち前記第２端末が前記第１エリアから前記第２エリアに移動する場合、前記状態情報を受信せず、前記複数の移動通信端末のうち前記第２端末に前記１対多サービスを提供するためのチャネルを設定する段階とを含む。
【００５９】
前記１対多サービスはＭＢＭＳである。前記第１制御装置はサービング無線ネットワーク制御装置であることが好ましい。
【００６０】
前記状態情報を受信する段階は、ＭＢＭＳ接続メッセージ、チャネルタイプ再構成メッセージ、無線リンク設定メッセージ、無線リンク再構成メッセージ、又はＲＲＣシグナリングメッセージを受信する段階を含む。さらに、前記状態情報は前記１対多サービスのサービスＩＤを含む。前記状態情報は、前記１対多サービスを提供するために前記第２制御装置により設定された無線ベアラのタイプをさらに含むことが好ましい。
【００６１】
本発明のさらに他の態様において、第１制御装置により制御される第１エリアから第２制御装置により制御される第２エリアに複数の端末のうち少なくとも第１及び第２端末が移動する場合、移動通信システムで複数の移動通信端末に１対多サービスを提供する方法が提供される。前記方法は、前記複数の端末のうち前記第１端末が前記第１エリアから前記第２エリアに移動する場合、提供された１対多サービスに関する状態情報を伝送する段階と、前記複数の端末のうち前記第２端末が前記第１エリアから前記第２エリアに移動する場合、前記状態情報を伝送しない段階とを含む。
【００６２】
前記１対多サービスはＭＢＭＳである。前記第２制御装置はドリフト無線ネットワーク制御装置であることが好ましい。
【００６３】
前記方法は、前記第１制御装置、及び前記第２制御装置に隣接した少なくとも１つの第３制御装置に前記状態情報を伝送する段階をさらに含む。前記状態情報を伝送する段階は、ＭＢＭＳ接続メッセージ、チャネルタイプ再構成メッセージ、無線リンク設定メッセージ、無線リンク再構成メッセージ、又はＲＲＣシグナリングメッセージを伝送する段階を含むことが好ましい。
【００６４】
前記状態情報を伝送する段階は、前記１対多サービスのサービスＩＤを伝送する段階を含む。前記状態情報を伝送する段階は、前記サービスＩＤが専用チャネルで提供される所定のサービスに該当しないと判断する段階と、前記１対多サービスを提供するために設定された無線ベアラのタイプを伝送する段階とをさらに含むことが好ましい。
【００６５】
本発明のさらに他の態様において、第１制御装置により制御される第１エリアから第２制御装置により制御される第２エリアに複数の端末のうち少なくとも第１及び第２端末が移動する場合、移動通信システムで複数の移動通信端末に１対多サービスを提供する方法が提供される。前記方法は、前記移動通信端末が前記複数の端末のうち前記第１端末の場合、状態情報を伝送する段階と、前記移動通信端末が前記複数の端末のうち前記第２端末の場合、前記１対多サービスに関する状態情報を伝送せず、前記１対多サービスを受信する段階とを含む。
【００６６】
前記１対多サービスはＭＢＭＳである。前記方法は、前記第２制御装置が専用チャネルで前記１対多サービスを提供するか否かを判断する段階と、タイマーを設定する段階と、専用チャネルで前記１対多サービスを受信すると前記タイマーを解除するか、又は前記タイマーが満了すると前記状態情報を伝送する段階とをさらに含む。
【００６７】
本発明のさらに他の態様において、ネットワーク制御装置により制御されるエリアから第２制御装置により制御されるエリアに端末が移動する場合、無線通信システムで少なくとも１つの移動通信端末に１対多サービスを提供するネットワーク制御装置が提供される。前記ネットワーク制御装置は、少なくとも１つの移動通信端末に１対多サービスを含む信号を送信するために備えられる送信機と、前記第２制御装置により提供された前記１対多サービスに関する状態情報を含む信号を受信するために備えられる受信機と、前記状態情報を処理し、前記少なくとも１つの移動通信端末に前記１対多サービスを伝送するためのチャネルを設定するか、又は前記少なくとも１つの移動通信端末の制御の再割当を前記第２制御装置に行うために備えられるプロセッサとを含む。
【００６８】
前記１対多サービスはＭＢＭＳである。前記少なくとも１つの移動通信端末に前記１対多サービスを伝送するために設定されたチャネルは、専用チャネルであることが好ましい。
【００６９】
前記ネットワーク制御装置は、サービング無線ネットワーク制御装置である。さらに、前記プロセッサは、前記１対多サービスがサポートされる場合、前記１対多サービスを提供するためのチャネルを設定し、前記１対多サービスがサポートされない場合、前記少なくとも１つの移動通信端末の制御の再割当を前記第２制御装置に行うために備えられることが好ましい。
【００７０】
さらに、前記プロセッサは、前記状態情報を含むＭＢＭＳ接続メッセージ、チャネルタイプ再構成メッセージ、無線リンク設定メッセージ、無線リンク再構成メッセージ、又はＲＲＣシグナリングメッセージを処理するために備えられる。さらに、前記状態情報は前記１対多サービスのサービスＩＤを含む。前記状態情報は、前記１対多サービスを提供するために前記第２制御装置により設定された無線ベアラのタイプをさらに含むことが好ましい。
【００７１】
さらに、前記プロセッサは、前記少なくとも１つの移動通信端末が前記第２制御装置により制御されるエリアに移動する複数の端末のうち最初の端末の場合、前記状態情報を受信し、前記少なくとも１つの移動通信端末に前記１対多サービスを提供するためのチャネルを設定し、前記少なくとも１つの移動通信端末が前記第２制御装置により制御されるエリアに移動する複数の端末のうち最初の端末でない場合、前記状態情報を受信せず、前記少なくとも１つの移動通信端末に前記１対多サービスを提供するためのチャネルを設定するために備えられる。
【００７２】
本発明のさらに他の態様において、第２制御装置により制御されるエリアからネットワーク制御装置により制御されるエリアに端末が移動する場合、無線通信システムで少なくとも１つの移動通信端末に１対多サービスを提供するネットワーク制御装置が提供される。前記ネットワーク制御装置は、前記第２制御装置に状態情報を含む信号を送信するために備えられる送信機と、前記第２制御装置から１対多サービスを含む信号を受信するために備えられる受信機と、前記１対多サービスに関する情報を含む前記状態情報を生成し、前記少なくとも１つの移動通信端末に前記１対多サービスを伝送するために前記第２制御装置からチャネルを受信するか、又は前記少なくとも１つの移動通信端末の制御を担当するために備えられるプロセッサとを含む。
【００７３】
前記１対多サービスはＭＢＭＳである。前記少なくとも１つの移動通信端末に前記１対多サービスを伝送するために受信されたチャネルは、専用チャネルであることが好ましい。
【００７４】
前記ネットワーク制御装置は、ドリフト無線ネットワーク制御装置である。さらに、前記プロセッサは、前記第２制御装置、及び前記ネットワーク制御装置に隣接した少なくとも１つの第３制御装置に前記状態情報を伝送するために備えられることが好ましい。
【００７５】
さらに、前記プロセッサは、前記状態情報を含むＭＢＭＳ接続メッセージ、チャネルタイプ再構成メッセージ、無線リンク設定メッセージ、無線リンク再構成メッセージ、又はＲＲＣシグナリングメッセージのいずれか１つを生成するために備えられる。さらに、前記プロセッサは、前記１対多サービスのサービスＩＤを含む前記状態情報を生成するために備えられることが好ましい。
【００７６】
さらに、前記プロセッサは、前記サービスＩＤが専用チャネルで提供される所定のサービスに該当しないと判断し、前記１対多サービスを提供するために設定された無線ベアラのタイプを含む前記状態情報を生成するために備えられる。さらに、前記プロセッサは、前記少なくとも１つの移動通信端末が前記第２制御装置により制御されるエリアから移動した複数の端末のうち最初の端末の場合、前記状態情報を伝送し、前記少なくとも１つの移動通信端末が前記第２制御装置により制御されるエリアから移動した複数の端末のうち最初の端末でない場合、前記状態情報を伝送しないために備えられることが好ましい。
【００７７】
本発明のさらに他の態様において、第１制御装置により制御される第１エリアから第２制御装置により制御される第２エリアに端末が移動する場合、移動通信システムで１対多サービスを受信する移動通信端末が提供される。前記移動通信端末は、１対多サービスを含むＲＦ信号を受信し、状態情報を含むＲＦ信号を送信するために備えられるアンテナと、前記アンテナにより受信したＲＦ信号を処理するために備えられるＲＦモジュールと、ユーザから情報を入力されるために備えられるキーパッドと、前記１対多サービスに関する情報を保存するために備えられる保存部と、前記ユーザに情報を伝達するために備えられるディスプレイと、前記１対多サービスに関する情報を含む前記状態情報を生成して前記１対多サービスを受信するために備えられる処理部とを含む。
【００７８】
前記１対多サービスはＭＢＭＳである。さらに、前記処理部は、前記第２制御装置が専用チャネルで前記１対多サービスを提供するか否かを判断し、タイマーを設定し、前記１対多サービスを受信すると前記タイマーを解除するか、又は前記タイマーが満了すると前記状態情報を伝送するために備えられる。さらに、前記処理部は、前記移動通信端末が前記第１エリアから前記第２エリアに移動した複数の端末のうち最初の端末の場合、前記状態情報を伝送し、前記移動通信端末が前記第１エリアから前記第２エリアに移動した複数の端末のうち最初の端末でない場合、前記状態情報を伝送しないために備えられることが好ましい。
【００７９】
本発明の付加的な特性と利点は後述する発明の詳細な説明に記載され、部分的には上記の説明により明らかになるか、本発明の実施により理解されるであろう。本発明の前述した一般的な記載と後述する詳細な記載は例示にすぎず、請求されたように本発明の詳細な説明のために提供されたものであることを理解すべきである。
【００８０】
当該技術分野における通常の知識を有する者であれば、添付図面を参照して後述する実施形態の詳細な説明により、本発明が開示された特定の実施形態に限定されるものではないことを理解するであろう。
【発明を実施するための最良の形態】
【００８１】
本発明は端末の移動性のサポート及びＭＢＭＳの提供に関する情報を伝送する装置及び方法に関する。本発明は、移動端末に関して記述されるが、１つのエリアから他のエリアに移動するときに移動通信装置がＭＢＭＳを受信できるように要求されるいかなる場合にも利用可能である。
【００８２】
以下、添付図面を参照して本発明の好ましい実施形態を説明する。本発明は、３ＧＰＰにより開発されたＵＭＴＳなどの移動通信システムで実現される。しかし、本発明は他の規格に準拠した通信システムにも適用できる。
【００８３】
本発明は、システムが端末１の移動性をサポートし、前記端末にサービスを好ましく提供するために無線リソースを効率的に使用するときに発生し得る問題を解決するために考案されたものである。本発明は、第１システムが、端末１を管理する第２システムに特定サービスの状態を通知する通信システムを提案する。特に、本発明は、ＭＢＭＳをダウンリンクチャネルで複数の端末に伝送する無線通信システムで、ＤＲＮＣ５又は端末１がサービス状態に関する情報をＳＲＮＣに通知するＭＢＭＳに対する無線通信システムを提案する。
【００８４】
本発明の一態様において、前記ＳＲＮＣ５には、端末１が専用チャネルを利用してＭＢＭＳを受信できるように、前記端末が加入しているＭＢＭＳの状態が通知される。ＭＢＭＳ状態情報は、ＭＢＭＳ及び当該ＭＢＭＳを提供する無線ベアラ（ＲＢ）のタイプであることが好ましい。前記ＭＢＭＳ状態情報は、ＭＢＭＳ接続（又は、添付）メッセージ、チャネルタイプ再構成メッセージ、無線リンク設定メッセージ、無線リンク再構成メッセージ、又はＲＲＣシグナリングメッセージにより伝送できる。ＳＲＮＣ５の状態に応じて２つの状況を異なる方法で扱うことができる。
【００８５】
第１の状況は前記ＳＲＮＣ５が特定ＭＢＭＳをサポートしないときに発生する。そのために、端末１はＳＲＮＣから特定ＭＢＭＳを受信できない。従って、前記端末１が前記ＳＲＮＣ５により制御されるエリアから前記特定ＭＢＭＳを提供するＤＲＮＣにより制御されるエリアに移動した場合、前記端末は無線ベアラ（ＲＢｓ）のタイプに応じて前記ＭＢＭＳを受信するように動作できる。
【００８６】
前記ＤＲＮＣ５が１対多ＲＢを利用してＭＢＭＳを提供する場合、前記端末１は、前記ＭＢＭＳが前記ＳＲＮＣによりサポートされるか否かを考慮することなく、１対多ＲＢを利用して前記ＤＲＮＣを介して前記コアネットワーク３から伝送されたＭＢＭＳデータを受信する。それに対し、前記ＤＲＮＣ５が１対１ＲＢを利用してＭＢＭＳを提供する場合、前記端末１は、前記ＳＲＮＣとの専用チャネルを設定した後、前記ＤＲＮＣを介して前記ＭＢＭＳを受信しなければならない。
【００８７】
しかし、前記ＳＲＮＣ５は、前記ＤＲＮＣから提供されるＭＢＭＳの状態を正確に認知できず、前記端末１との専用チャネルを設定できない。従って、ＭＢＭＳ状態情報を前記ＳＲＮＣ５に通知するために、前記ＤＲＮＣ又は端末１は端末が加入しているＭＢＭＳ状態情報を前記ＳＲＮＣに伝送する。
【００８８】
前記ＭＢＭＳ状態情報を受信したＳＲＮＣ５は、前記端末１がＭＢＭＳを受信できるように、前記端末との専用チャネルを設定しなければならない。しかし、現在のＳＲＮＣ５はＭＢＭＳをサポートしないため、ＳＲＮＣ再割当過程を開始する。前記ＭＢＭＳ状態情報は、ＳＲＮＣ再割当を開始するインジケータとして使用できる。
【００８９】
第２の状況は、前記ＳＲＮＣ５が特定ＭＢＭＳをサポートし、前記端末１がそのＭＢＭＳを受信する場合に発生する。前記端末１が前記ＳＲＮＣ５により制御されるエリアから前記ＭＢＭＳを提供するＤＲＮＣにより制御されるエリアに移動した場合、前記端末は提供されるＲＢのタイプに応じてＭＢＭＳを受信するように動作できる。
【００９０】
前記ＤＲＮＣ５が１対多ＲＢを利用してＭＢＭＳを提供する場合、前記端末１は、前記ＳＲＮＣから提供されるＲＢのタイプに関係なく、１対多ＲＢを利用して前記ＤＲＮＣを介して前記ＣＮ３から伝送されたＭＢＭＳデータを受信する。それに対し、前記ＤＲＮＣ５が１対１ＲＢを利用してＭＢＭＳを提供する場合、前記端末１は、前記ＳＲＮＣとの専用チャネルを設定した後、前記ＤＲＮＣを介して前記ＭＢＭＳを受信しなければならない。
【００９１】
しかし、前記ＳＲＮＣ５は、前記ＤＲＮＣから提供されるＭＢＭＳの状態を正確に認知できず、前記端末１との専用チャネルを設定できない。従って、この場合も、ＭＢＭＳ状態情報を前記ＳＲＮＣ５に通知するために、前記ＤＲＮＣ又は端末１は端末が加入しているＭＢＭＳ状態情報を前記ＳＲＮＣに伝送する。前記ＭＢＭＳ状態情報を受信したＳＲＮＣ５は、前記端末との専用チャネルを設定することにより、前記端末１が前記ＭＢＭＳを受信できるようにする。
【００９２】
以下、前記ＤＲＮＣ５で初期に設定されて特定ＭＢＭＳを提供する１対多ＲＢが１対１に変更されたことを前記ＤＲＮＣが前記ＳＲＮＣに通知すると仮定するシステムの動作を説明する。前記ＳＲＮＣ５は前記ＤＲＮＣでのＭＢＭＳを提供するために１対１ＲＢを利用する。
【００９３】
端末１が特定ＳＲＮＣ５により制御されるエリアから特定ＤＲＮＣにより制御されるエリアに移動した場合、前記端末が前記特定ＳＲＮＣにより制御されるエリアから前記特定ＤＲＮＣにより制御されるエリアに移動する最初の端末であると、前記ＳＲＮＣは前記ＤＲＮＣがＭＢＭＳを提供するために１対１ＲＢを利用することを認知できない。従って、前記端末１又はＤＲＮＣ５は、前記端末が加入しているＤＲＮＣにより提供されるＭＢＭＳ状態情報を前記ＳＲＮＣに伝送しなければならない。前記ＭＢＭＳ状態情報を受信したＳＲＮＣ５は、前記端末との専用チャネルを設定して前記端末１にＭＢＭＳを提供する。前記ＤＲＮＣ５が１対多ＲＢを利用して端末関連ＭＢＭＳを伝送する場合も、前記端末１又はＤＲＮＣは前記ＳＲＮＣにＭＢＭＳ状態情報を伝送できる。
【００９４】
図６は本発明によるＭＢＭＳ情報伝送方法の第１実施形態を示す図である。図６に示すように、ＤＲＮＣ５はＭＢＭＳ状態情報をＳＲＮＣに伝送する。前記ＭＢＭＳ状態情報は、前記ＤＲＮＣにより提供される端末関連ＭＢＭＳに関する情報及び当該ＭＢＭＳを提供するＲＢのタイプに関する情報を示す。
【００９５】
前記ＭＢＭＳ状態情報は、ＭＢＭＳが１対１ＲＢを利用して提供されることを通知するインジケータとして使用できる。ここで、ＲＢのタイプに関する情報はこれに含まれない。前記ＭＢＭＳ状態情報を受信したＳＲＮＣ５は、端末１との専用チャネルを設定し、前記ＤＲＮＣを介して前記端末にＭＢＭＳを伝送する。前記ＭＢＭＳ状態情報は、ＭＢＭＳ接続（又は、添付）メッセージ、チャネルタイプ再構成メッセージ、無線リンク設定メッセージ、又は無線リンク再構成メッセージにより伝送できる。
【００９６】
図７は本発明によるＭＢＭＳ情報伝送方法の第２実施形態を示す図である。図７に示すように、ＤＲＮＣ５により制御されるエリアに移動した端末１はＭＢＭＳ状態情報をＳＲＮＣに伝送する。第１実施形態と同様に、前記ＭＢＭＳ状態情報は、前記ＤＲＮＣ５により提供される端末関連ＭＢＭＳに関する情報及び当該ＭＢＭＳを提供するＲＢのタイプに関する情報を示す。
【００９７】
第１実施形態と同様に、前記ＭＢＭＳ状態情報は、ＭＢＭＳが１対１ＲＢを利用して提供されることを通知するインジケータとして使用できる。前記ＭＢＭＳ状態情報はＲＢのタイプに関する情報を含まない。前記ＭＢＭＳ状態情報を受信したＳＲＮＣ５は、前記端末１との専用チャネルを設定し、前記ＤＲＮＣを介して前記端末にＭＢＭＳを伝送する。前記ＭＢＭＳ状態情報は、ＲＲＣメッセージ又はＲＲＣシグナリングメッセージにより伝送できる。
【００９８】
前記端末１は、関連ＭＢＭＳが１対１ＲＢを利用して前記ＤＲＮＣにより提供されていることを確認した後、前記ＳＲＮＣ５にＭＢＭＳ状態情報を伝送するために特定のタイマーを設定できる。特に、前記端末１は、前記ＤＲＮＣ５が１対１ＲＢを利用して端末関連ＭＢＭＳを提供していることを確認した場合、前記タイマーを作動（イネーブル）する。前記タイマーの作動中にＭＢＭＳが受信されると、前記端末１は前記タイマーを停止（ディセーブル）する。前記タイマーがＭＢＭＳの受信前に満了すると、前記端末１は、前記ＳＲＮＣ５にＭＢＭＳ状態情報を伝送することにより、前記ＳＲＮＣにＭＢＭＳが１対１ＲＢを利用して提供されていることを通知する。前記ＳＲＮＣ５は、前記サービスが提供されなければならないことを前記端末１に通知するために、前記端末との専用チャネルを設定する。
【００９９】
図８は本発明によるＭＢＭＳ情報伝送方法の第３実施形態を示す図である。図８に示すように、特定ＭＢＭＳを提供するＲＢが初期に１対１に設定されたことを、又は１対多から１対１に変更されたことを、ＤＲＮＣ５がＳＲＮＣ１に通知すると仮定する。前記１対１ＲＢの設定、前記１対１ＲＢへの変更、又は前記１対多ＲＢの設定に関する情報が前記ＤＲＮＣ５から受信されるまで、前記ＳＲＮＣ１はＭＢＭＳを提供するＲＢとして１対多ＲＢを利用する。
【０１００】
図に示すように、ＵＥ１、ＵＥ２、及びＵＥ３はＳＲＮＣ１により制御される。前記ＳＲＮＣ１はＭＢＭＳが１対１ＲＢを利用して提供されていることを認知する。従って、ＵＥ４が前記ＤＲＮＣ５により制御されるエリアに移動した場合、前記ＳＲＮＣ１は前記ＤＲＮＣ５が１対１ＲＢを利用してＭＢＭＳを提供していることを既に知っている。これにより、前記ＳＲＮＣ１は前記ＵＥ４との専用チャネルを設定して前記ＭＢＭＳを前記ＵＥ４に提供できる。
【０１０１】
しかし、ＳＲＮＣ２の制御下で、ＵＥ５が前記ＤＲＮＣ５により制御されるエリアに移動した場合、前記ＵＥ５は前記ＳＲＮＣ２により制御されるエリアから前記ＤＲＮＣにより制御されるエリアに移動する最初の端末である。従って、前記ＳＲＮＣ２は、前記ＤＲＮＣ５が１対１ＲＢを利用してＭＢＭＳを提供するか否かを認知できない。これにより、前記ＵＥ５又はＤＲＮＣ５は、ＭＢＭＳが１対１ＲＢを利用して提供されていることを前記ＳＲＮＣ２に通知するために、前記ＳＲＮＣ２にＭＢＭＳ状態情報を伝送する。その結果、前記ＳＲＮＣ２は、ＭＢＭＳを前記ＵＥ５に提供するために、前記ＵＥ５との専用チャネルを設定する。また、本発明においては、ＤＲＮＣ５がＳＲＮＣ２などの隣接した全てのＲＮＣにＭＢＭＳ状態情報を伝送できる。
【０１０２】
図９は本発明の一実施形態による無線通信装置を示すブロック図である。本発明による無線通信装置は、アンテナ部２５１、ＲＦ（Ｒａｄｉｏ  Ｆｒｅｑｕｅｎｃｙ）部２５２、信号処理部２５３、及びメモリ部２５４を含む。
前記信号処理部２５３は、マイクロプロセッサ及びデジタルプロセッサなどの処理部を含む。本発明による無線通信装置は、スクリーン上に特定情報を表示するディスプレイ部２５５、ユーザから信号を受信するキーパッド部２５６、及び音声信号を出力するスピーカ部２５７をさらに含む。前記信号処理部２５３は、端末の移動性をサポートしてＭＢＭＳを提供するために、本明細書に明示された方法を行うように構成される。
【０１０３】
従来の方法において、ＳＲＮＣは端末関連ＭＢＭＳを伝送するためにＤＲＮＣがどのＲＢを利用するかを認識できなかった。従って、前記ＤＲＮＣが１対１ＲＢを利用して特定ＭＢＭＳを提供する場合、前記ＳＲＮＣは、前記端末との専用チャネルを設定できず、ＭＢＭＳを提供できない。本発明においては、端末がＤＲＮＣにより制御されるエリアに移動した場合、前記ＤＲＮＣ又は端末が前記ＤＲＮＣにより提供されている端末関連ＭＢＭＳ状態情報をＳＲＮＣに伝送する。その結果、前記ＳＲＮＣは、正確な時点で前記端末との専用チャネルを設定でき、これにより、前記端末がＭＢＭＳを受信できるようにする。
【０１０４】
本発明はその精神又は本質的な特性から外れない範囲で様々な形態に実現でき、前述した実施形態がいずれの詳細な記載内容によっても限定されるものではなく、添付された特許請求の範囲に定義されたように本発明の精神や範囲内で広範囲に解釈されるべきであることを認識しなければならず、本発明の技術的保護範囲は添付された特許請求の範囲の技術的思想により定められるべきである。前述した実施形態と利点は本発明を制限するものでなく、単なる例示にすぎない。請求項において、ミーンズプラスファンクションクレーム（ｍｅａｎｓ−ｐｌｕｓ−ｆｕｎｃｔｉｏｎ  ｃｌａｕｓｅｓ）は列挙された機能を実行するものであり、ここに記載された構造、構造的同等物だけでなく均等な構造をも含む。
【図面の簡単な説明】
【０１０５】
本発明の理解を容易にするために添付され、本明細書の一部を構成する図面は、本発明の多様な実施形態を示し、明細書と共に本発明の原理を説明する。図面において同一符号を付す本発明の特徴、構成要素、及び態様は、１つ以上の実施形態において同一、同等、又は類似した特徴、構成要素、及び態様を示す。
【図１】従来技術及び本発明が適用されたＵＭＴＳシステムのネットワーク構造を示す図である。
【図２】ＵＭＴＳネットワーク内でのＵＴＲＡＮと端末間の接続構造を示す図である。
【図３】端末のＲＲＣ状態遷移を示す図である。
【図４】従来のＵＭＴＳネットワークがマルチキャストモードを利用してＵＥに特定ＭＢＭＳを提供する形態を示す図である。
【図５】従来のＭＢＭＳ接続手順を示す図である。
【図６】本発明によるＭＢＭＳ情報伝送方法の第１実施形態を示す図である。
【図７】本発明によるＭＢＭＳ情報伝送方法の第２実施形態を示す図である。
【図８】本発明によるＭＢＭＳ情報伝送方法の第３実施形態を示す図である。
【図９】本発明の一実施形態による無線通信装置を示すブロック図である。
【図１】
2008530894.tif 000003
【図２】
2008530894.tif 000004
【図３】
2008530894.tif 000005
【図４】
2008530894.tif 000006
【図５】
2008530894.tif 000007
【図６】
2008530894.tif 000008
【図７】
2008530894.tif 000009
【図８】
2008530894.tif 000010
【図９】
2008530894.tif 000011
【国際調査報告】
2008530894.tif 000012
2008530894.tif 000013